(57)【要約】【課題】  スロットに絶縁紙を挿入する際、絶縁紙の傾きを是正しながらコア端部からの飛び出し量を規制し、コア部材の持ち上がりを防止することができる絶縁紙挿入矯正装置及びステータコア搬送装置を提供すること【解決手段】  コアがチャック部３に担持された状態で挿入サポートシリンダ１９で下降され、コア押え部２Ａが、スロットの開口方向であるコアの内径側端部の上端面を押圧する。コア押え部２Ａからコアの外径側に傾斜して立上る側面により誘導部が構成され、絶縁紙の挿入に従い、絶縁紙の内径側への傾斜が矯正される。誘導部４Ａの外径側には弾性力を有するＯリングで形成された規制部６Ａが構成される。弾性力により絶縁紙の厚みやカフスの折り曲げ位置等の製造ばらつきを吸収し、コア端部からの絶縁紙の飛び出し量の公差が小さい場合にも飛び出し量を安定させ、カフス部をコア端部に確実に係合させる。【選択図】  図５
2005073413.tif 000002
【特許請求の範囲】
【請求項１】
積層された薄板コア部材の所定箇所を固着してなるステータコアのコイル巻装用のスロットに、絶縁紙を挿入する絶縁紙挿入矯正装置であって、
前記ステータコアの第１端面部から絶縁紙を挿入する際に、
前記ステータコアの第２端面部側に積層されている薄板コア部材における非固着部位を、前記第１端面部側に押圧するコア押え部と、
前記第２端面部から傾斜した状態で押出される絶縁紙の挿入先頭角部が当接し、絶縁紙の挿入に従い傾斜状態を矯正する傾斜面を有する誘導部と、
絶縁紙の挿入方向に向かって前記第２端面部から所定距離離間した位置に配置され、絶縁紙の前記第２端面部からの飛び出し量を規制する規制部とを備えることを特徴とする絶縁紙挿入矯正装置。
【請求項２】
前記コア押え部は、１方向に開口される一対の前記スロットに区画されるティース部の先端部位を押圧することを特徴とする請求項１に記載の絶縁紙挿入矯正装置。
【請求項３】
前記コア押え部および前記誘導部は、前記コア押え部の押圧面を底面とし、該底面に隣接する側面を前記誘導部の傾斜面として一体に形成されていることを特徴とする請求項１または２に記載の絶縁紙挿入矯正装置。
【請求項４】
前記規制部は、弾性体で形成されていることを特徴とする請求項１に記載の絶縁紙挿入矯正装置。
【請求項５】
積層された薄板コア部材の所定箇所を固着してなるステータコアを搬送するステータコア搬送装置であって、
前記ステータコアを担持する担持アームを備え、
前記担持アームにより前記ステータコアが担持された状態で前記ステータコアの第１端面部からコイル巻装用のスロットに絶縁紙を挿入する際に、
前記ステータコアの第２端面部側に積層されている薄板コア部材における非固着部位を、前記第１端面部側に押圧するコア押え部と、
前記第２端面部から傾斜した状態で押出される絶縁紙の挿入先頭角部が当接し、絶縁紙の挿入に従い傾斜状態を矯正する傾斜面を有する誘導部と、
絶縁紙の挿入方向に向かって前記第２端面部から所定距離離間した位置に配置され、絶縁紙の前記第２端面部からの飛び出し量を規制する規制部とを備えることを特徴とするステータコア搬送装置。
【請求項６】
内径方向に開口される一対のコイル巻装用のスロットに区画されるティース部を有し、積層された薄板コア部材の外径端における所定箇所を固着してなる環状ステータコアを搬送するステータコア搬送装置であって、
前記環状ステータコアを担持する担持アームを備え、
前記担持アームにより前記環状ステータコアが担持された状態で前記環状ステータコアの第１端面部から前記スロットに絶縁紙を挿入する際に、
前記環状ステータコアの第２端面部側に積層されている薄板コア部材における前記ティース部の先端部を、前記第１端面部側に押圧するコア押え部と、
前記コア押え部の押圧面に隣接し、前記第２端面部から傾斜した状態で押出される絶縁紙の挿入先頭角部が当接して絶縁紙の挿入に従い傾斜状態を矯正する傾斜面を有する誘導部と、
絶縁紙の挿入方向に向かって前記第２端面部から所定距離離間した位置に配置され、絶縁紙の前記第２端面部からの飛び出し量を規制する規制部とを備えることを特徴とするステータコア搬送装置。
【発明の詳細な説明】
【技術分野】
【０００１】
本発明は、ステータコアのコイル巻装用スロットに、ステータコアとコイルとを絶縁する絶縁紙を挿入する絶縁紙挿入矯正装置、および絶縁紙の挿入矯正機能を備えたステータコア搬送装置に関するものである。
【背景技術】
【０００２】
特許文献１に開示されている電動機においては、スロットに挿入された絶縁紙の抜けを防止するため、固定子鉄心のスロット開口部先端を回転子から距離が遠ざかる方向に曲げて絶縁紙を固定することが記載されている。
【０００３】
【特許文献１】特開平７−１７７６９１号公報
【発明の開示】
【発明が解決しようとする課題】
【０００４】
薄板状のコア部材を積層してステータコアが構成される場合には、スロット内壁面において、絶縁紙の挿入時に、絶縁紙が、スロット内壁のコア部材の角に引っかかる等して干渉を受けることが考えられる。上記特許文献１は挿入された絶縁紙の抜けを防止するものではあるが、干渉の程度がスロット内の部位ごとに異なる場合に、干渉の大きな側での絶縁紙の挿入進度が悪くなり、この方向に向かって傾斜した状態で挿入されてしまうおそれがある。例えば、スロット内壁面を覆うように絶縁紙をＵ字状に湾曲させて挿入する場合に、絶縁紙の開放端において、絶縁紙の復元力により絶縁紙がスロット内壁面に押圧されて干渉が大きくなる場合がこれに該当する。巻装されるコイルとコアとの絶縁が安定して確保できないおそれがあり問題である。この場合、コイル巻装工程の前に挿入された絶縁紙の位置合わせを行うことも考えられるが、工程の追加となり好ましくない。
【０００５】
また、ステータコア端面からの絶縁紙の飛び出し量も干渉の程度や絶縁紙の寸法公差によりばらついてしまうこととなる。絶縁紙の挿入が不十分な場合には、コアの挿入出口側端部にカフスが係合せず問題である。逆に、絶縁紙の飛び出し量が大き過ぎる場合には、コアの挿入入口側端部にカフスが係合せず問題である。特に、回転電機をコンパクトに構成するためには、ステータコアに巻装されるコイルのコア端面からの飛び出し量を制限することが必要であるが、このためにはコア端面からの絶縁紙の飛び出し量を制限する必要があり、絶縁紙の飛び出し量の公差を制限する必要がある。挿入時における絶縁紙とスロット内壁面との干渉により挿入進度を十分に制御できないことや、絶縁紙の寸法公差をなくすことはできないことのため、絶縁紙の安定した飛び出し量を確保できず問題である。
【０００６】
また、ステータコアは個々のコア部材を相互に固着して構成されるところ、固着方法は所定箇所への溶接等により行われる場合がある。この場合、非溶接部分は固定されておらず、また薄板コア部材の板厚の薄さによっては、絶縁紙の挿入時に絶縁紙との干渉によりコア部材が押圧される結果、コア端部のうち絶縁紙の挿入出口側端部に配置されているコア部材が持ち上がってしまうおそれがある。回転電機の構成上問題である。
【０００７】
本発明は前記従来技術の課題の少なくとも１つを解消するためになされたものであり、スロット内に絶縁紙を挿入する際、挿入された絶縁紙の傾きを是正しながらコア端部からの飛び出し量を規制すると共に、コア部材の持ち上がりを防止することができる絶縁紙挿入矯正装置、およびこれらの機能を備えたステータコア搬送装置を提供することを目的とする。
【課題を解決するための手段】
【０００８】
前記目的を達成するために、請求項１に係る絶縁紙挿入矯正装置は、積層された薄板コア部材の所定箇所を固着してなるステータコアのコイル巻装用のスロットに、ステータコアの第１端面部から絶縁紙を挿入する際に、ステータコアの第２端面部側に積層されている薄板コア部材における非固着部位を、第１端面部側に押圧するコア押え部と、第２端面部から傾斜した状態で押出される絶縁紙の挿入先頭角部が当接し、絶縁紙の挿入に従い傾斜状態を矯正する傾斜面を有する誘導部と、絶縁紙の挿入方向に向かって第２端面部から所定距離離間した位置に配置され、絶縁紙の飛び出し量を規制する規制部とを備えることを特徴とする。
【０００９】
請求項１の絶縁紙挿入矯正装置では、ステータコアのスロット内に第１端面部から絶縁紙を挿入する際、コア押え部が、第２端面部側にある薄板コア部材を非固着部位において第１端面部側に押圧する。また、誘導部の傾斜面に絶縁紙の挿入先頭角部が当接して、挿入が進むに従い絶縁紙を傾斜面に沿って誘導して傾斜状態を矯正する。更に、規制部により、絶縁紙の飛び出し量が第２端面部から絶縁紙の挿入方向に所定距離離間した位置に規制される。
【００１０】
これにより、絶縁紙のスロット内壁での引っかかり等の干渉が、スロット内の部位ごとに異なり部位ごとの絶縁紙の挿入進度が異なって絶縁紙が傾斜した状態で挿入されてしまう場合にも、誘導部の傾斜面に沿って絶縁紙の挿入が進行する結果、絶縁紙の傾斜状態を矯正することができる。
【００１１】
また、絶縁紙とスロット内壁との干渉の程度の違いにより絶縁紙の挿入進度がばらついてしまう場合や、絶縁紙の寸法公差がばらついてしまう場合にも、規制部により絶縁紙の飛び出し量を規制することができるので、挿入量を適宜に設定することにより飛び出し量を所定範囲内に収めることができる。例えば、最も挿入進度の小さい絶縁紙に対して規制部に到達するように挿入量を設定してやれば、より挿入進度の大きい絶縁紙に対しては規制部の位置に維持されるため、全ての絶縁紙の飛び出し量を均一に揃えることが可能となる。
【００１２】
ステータコアの端面に絶縁紙のカフスが係合するための公差が小さい場合にも、絶縁紙を所定位置に安定して挿入することができる。コンパクトな回転電機等の実現に資すること大である。
【００１３】
また、コア押え部により第２端面部が押圧されているため、絶縁紙が薄板コア部材と干渉して薄板コア部材を持ち上げてしまうことはない。
【００１４】
ここで、コア押え部は、１方向に開口される一対のスロットに区画されるティース部の先端部を押圧することが好ましい。ティース部の先端部は回転電機のロータに対向しており主磁束領域が形成される部位である。このため先端部での変形や応力の影響は避けることが一般的であり、薄板コア部材が先端部で固着されることはない。固着は主磁束領域から離間した位置で行われることが好ましく、ティース部の先端部とは反対側に位置する部位で行われることが一般的である。最も大きく持ち上がるティース部の先端部を押圧することにより、薄板コア部材の持ち上がりを有効に防止することができる。
【００１５】
また、コア押え部および誘導部は、コア押え部の押圧面を底面とし、底面に隣接する側面を誘導部の傾斜面として一体に形成されていることが好ましい。これにより、一体の部材でコア押えと絶縁時の誘導との機能を奏することができる。
【００１６】
また、規制部は、弾性体で形成されていることが好ましい。これにより、絶縁紙の過度の飛び出しを吸収することができ、絶縁紙の損傷を防止することができる。また、絶縁紙の紙厚や折り曲げの個体間ばらつきを吸収することができる。
【００１７】
また、請求項５に係るステータコア搬送装置は、積層された薄板コア部材の所定箇所を固着してなるステータコアを搬送するステータコア搬送装置であって、ステータコアを担持する担持アームを備えると共に、担持アームによりステータコアが担持された状態でステータコアの第１端面部からコイル巻装用のスロットに絶縁紙を挿入する際に、ステータコアの第２端面部側に積層されている薄板コア部材における非固着部位を、第１端面部側に押圧するコア押え部と、第２端面部から傾斜した状態で押出される絶縁紙の挿入先頭角部が当接し、絶縁紙の挿入に従い傾斜状態を矯正する傾斜面を有する誘導部と、絶縁紙の挿入方向に向かって第２端面部から所定距離離間した位置に配置され、絶縁紙の第２端面部からの飛び出し量を規制する規制部とを備えることを特徴とする。
【００１８】
また、請求項６に係るステータコア搬送装置は、内径方向に開口される一対のコイル巻装用のスロットに区画されるティース部を有し、積層された薄板コア部材の外径端における所定箇所を固着してなる環状ステータコアを搬送するステータコア搬送装置であって、環状ステータコアを担持する担持アームを備えると共に、担持アームにより環状ステータコアが担持された状態で環状ステータコアの第１端面部からスロットに絶縁紙を挿入する際に、環状ステータコアの第２端面部側に積層されている薄板コア部材におけるティース部の先端部を、第１端面部側に押圧するコア押え部と、コア押え部の押圧面に隣接し、第２端面部から傾斜した状態で押出される絶縁紙の挿入先頭角部が当接して絶縁紙の挿入に従い傾斜状態を矯正する傾斜面を有する誘導部と、絶縁紙の挿入方向に向かって第２端面部から所定距離離間した位置に配置され、絶縁紙の第２端面部からの飛び出し量を規制する規制部とを備えることを特徴とする。
【００１９】
請求項５または６のステータコア搬送装置では、ステータコアのスロット内に第１端面部から絶縁紙を挿入する際のコア押え部、誘導部、規制部が、ステータコアまたは環状ステータコアを担持する担持アームと共にステータコア搬送装置に備えられている。絶縁紙の挿入は、担持アームによりステータコアが担持された状態で行われる。コア押え部が、第２端面部側に積層されている薄板コア部材を、ティース部の先端部において第１端面部側に押圧する。また、コア押え部の押圧面に隣接して形成される誘導部の傾斜面に絶縁紙の挿入先頭角部が当接して、挿入に従い傾斜面に沿って絶縁紙を誘導して傾斜状態を矯正する。更に、規制部により、絶縁紙の飛び出し量が第２端面部から絶縁紙の挿入方向に所定距離離間した位置に規制される。
【００２０】
これにより、請求項１と同様の作用・効果が得られると共に、ステータコアの搬送時において、コア押え部、誘導部、および規制部で挿入された絶縁紙を支持していれば、搬送中に挿入された絶縁紙の挿入位置がずれてしまうことはない。
【発明の効果】
【００２１】
本発明によれば、ステータコアのスロット内に絶縁紙を挿入する際、挿入された絶縁紙の傾きを矯正しながらコア端部からの飛び出し量を規制することにより、絶縁紙のカフスをステータコアの端面部に確実に係合させて安定して絶縁紙の挿入・設置を行うことが可能となると共に、挿入時に絶縁紙の押圧によるコア部材の持ち上がりを防止することが可能な絶縁紙挿入矯正装置を提供することができる。また、前記絶縁紙挿入矯正装置において提供される作用・効果を備えるステータコア搬送装置を提供することができる。
【発明を実施するための最良の形態】
【００２２】
以下、本発明の絶縁紙挿入矯正装置、およびステータコア搬送装置について具体化した実施形態を図１乃至図５に基づき図面を参照しつつ詳細に説明する。本実施形態においては、内径ロータ型の電動機に使用される環状ステータコアを例にとり説明する。
【００２３】
実施形態の装置を説明するに先立ち、図１において、先ず、環状ステータコアＳＣのスロットＳＬに絶縁紙Ｐを挿入する際の概念図を示す。内径側にロータ（不図示）を備える電動機では、環状ステータコアＳＣはロータとの間で磁路を形成する複数のティース部Ｔを内径方向に備える。これらのティース部Ｔを区画するスロットＳＬにはコイルが巻装されるが、コイルの巻装の際、コイルとコアとの絶縁を確実に確保するためにスロットＳＬの内壁面に絶縁紙Ｐが装着される。絶縁紙Ｐは、両端部が外方に折り曲げられてカフス部が形成された上で、略Ｕ字状に湾曲されてスロットＳＬの１方向から挿入されて装着される。スロットＳＬの内壁のうち外径側に沿って、両端のカフス部がコアの各端面と係合するように装着されることが好ましい。これにより、スロットＳＬ内へのコイルの巻装が妨げられることもなく、コイルの巻装時の絶縁紙Ｐの位置ずれも防止することができ、コイルとコアＳＣとの絶縁を良好に維持した状態でコイルを巻装することができる。
【００２４】
図２には、本発明における絶縁紙挿入矯正装置の機能を備えたステータコア搬送装置１についての正面図を示し、図３にはステータコア搬送装置１の右側面図を示す。
【００２５】
ステータコア搬送装置１は、環状ステータコアＳＣを内径側から担持するチャック部３を備え、コアＳＣを担持した上で搬送ガイド５に沿って移動することにより、コアＳＣを工程間で搬送する装置である。ステータコア搬送装置１は支持板７を介して搬送ガイド５に摺動可能に支持されている。ここで、チャック部３は、内径側から環状ステータコアＳＣを確実に担持することができれば、チャック部３の担持は、２点支持の他、３点以上の多点支持、または場合によっては１点支持でもよい。
【００２６】
支持板７はシリンダフランジ９で固定されており、シリンダシャフト１１を摺動自在にシリンダ部１３が備えられる。シリンダ部１１の上下方向への摺動に応じてシリンダシャフト１１に固定されたベース板１５が上下動する。更にベース板１５は、ＬＭガイド１７に上下方向に摺動自在に係合されている。ここで、ＬＭガイド１７とは、シリンダシャフト１１の上下摺動方向に沿ってレール状の摺動径路が形成されたガイド部材であり、シリンダシャフト１１の上下方向の摺動に応じてベース板１５をガイドする。これにより、ベース板１５に固定されたチャック部３、および後述する絶縁紙挿入矯正装置を上下方向に移動させることができる。
【００２７】
搬送の際には、コアＳＣを担持したチャック部３を上昇させ各工程位置より高い位置にコアＳＣを維持して搬送を行う。工程への投入の際には、チャック部３を降下させ、必要に応じてチャック部３がコアＳＣを担持したままで、あるいはチャック部３をコアＳＣから切り離した上で、コアＳＣを工程内に投入する。スロットＳＬへの絶縁紙Ｐの挿入工程では絶縁紙ＰはコアＳＣの下方から供給されるが、この間、チャック部３はコアＳＣを担持した状態に維持される。
【００２８】
ステータコア搬送装置１において、絶縁紙挿入矯正装置は、挿入サポートシリンダ１９と挿入サポート部２１とにより構成されている。
【００２９】
挿入サポートシリンダ１９は、正面図（図２）において示すように、シリンダ部１３に対して左右対称位置に２組備えられ、その可動軸がベース板１５に設けられた開孔を介して挿入サポート部２１に結合される。挿入サポート部２１をシリンダ部１３に対して左右対称位置の２点で支持すると共に、ベース板１５とは独立に挿入サポート部２１を上下に移動させるアクチュエータとして働く。尚、図３では、挿入サポートシリンダ１９は、シリンダ部１３に重なって存在することとなるが、説明の都合上、図示を省略している。
【００３０】
挿入サポート部２１は、挿入サポートシリンダ１９の可動軸に連結された円環状の支持円筒２１ｂと、その先端にサポートリング２１ａとで構成されている。支持円筒２１ｂは、サポートリング２１ａを支持すると共に、挿入サポートシリンダ１９による上下動をサポートリング２１ａに伝達する支持体である。リング状のサポートリング２１ａを支持するため円筒形状を有している。支持円筒２１ｂの内径側には、チャック部３のアクチュエータ（不図示）等が備えられている。サポートリング２１ａは、絶縁紙Ｐの挿入時に、薄板コア部材の持ち上がりを防止するためにコアＳＣの上端面に当接されるコア押え部、挿入された絶縁紙の傾斜状態を矯正する誘導部、およびコアＳＣの上端面からの絶縁紙Ｐの飛び出し量を規制する規制部を備えて、コアＳＣの下端面から挿入される絶縁紙Ｐの挿入状態を所定の状態に整える部材である。
【００３１】
サポートリング２１ａはリング形状を有しているので、環状ステータコアＳＣの全てのスロットＳＬに対して同時に挿入される絶縁紙Ｐのサポートを行うことができる。また、絶縁紙Ｐの挿入動作が開始されるスロットＳＬの位置や挿入順序、更に同時に複数の絶縁紙Ｐを挿入する場合の同時挿入数、同時挿入箇所等を自由に選択することができる。
【００３２】
また、絶縁紙Ｐの挿入位置が固定であり、絶縁紙Ｐが挿入されるべきスロットＳＬを順次挿入位置に移動することが必要である場合には、チェック部３がベース板１５に対して回動自在に取り付けられると共に、支持円筒２１ｂの円筒本体部またはサポートリング２１ａが、挿入サポートシリンダ１９に連結された支持円筒２１ｂの連結基部または支持円筒２１ｂに対して、回動自在に取り付けられていることが好ましい。チャック部３と共にサポートリング２１ａも回動するので、サポートリング２１ａを所定位置に維持した状態でコアＳＣを回転させて、順次、スロットＳＬを挿入位置に移動させることができる。
【００３３】
図４には、図３におけるＡＡ断面図を示す。支持円筒２１ｂにおける円筒本体部２２の内径側には、一端が円筒軸方向に屈曲して開口が狭まった円筒形状のリングガイド２３が備えられ、ボルト２５でベース板１５に固定される。円筒本体部２２は、その内径がリングガイド２３の外径に当接されて支持されている。リングガイド２３の内径側には、チャック部３によるコアＳＣの担持用アクチュエータ（不図示）が備えられる収納部３１が備えられる。
【００３４】
円筒本体部２２の上端部外径側は、ベアリング等のリング状摺動部材２７を介して、ベース板１５を貫通して挿入サポートシリンダ１９の可動軸に連結された円筒連結基部２９に係合されている。これにより、挿入サポートシリンダ１９の上下動に応じて、円筒連結基部２９、円筒本体部２２、およびサポートリング２１ａが一体となって上下動すると共に、リング状摺動部材２７を介して、固定されている円筒連結基部２９に係合されている円筒本体部２２は、リングガイド２３にも規制されて回動自在に備えられている。図示しない回動機構により、収納部３１とチャック部３が回動自在に備えられていることと相俟って、チャック部３に担持されたコアＳＣは、上端面をサポートリング２１ａにより規制された状態を維持したままで、そのスロット位置を絶縁紙Ｐの挿入位置に自由に移動させることができる。
【００３５】
サポートリング２１ａは、円筒本体部２２の先端にネジ止め等により固定されており、この状態での拡大図を図５に示す。サポートリング２１ａは、コア径の異なる２種類のコアの何れにも対応できる構造を有している。小径コアＳＣ用のサポートリング部Ａと同様な構成で、大径コア用のサポートリング部Ｂを備えている。小径コアＳＣの場合はサポートリング部Ａが使用され、コア押え部２Ａがコア上端面の内径側の端部に当接される。大径コアではサポートリング部Ｂが使用され、コア押え部２Ｂがコア上端面の内径側の端部に当接される。この場合、サポートリング部Ａはコアの内径側端部より内径側に位置するので、コアと干渉することはない。
【００３６】
サポートリング部Ａ、Ｂは、共に同様な作用・効果を奏するものであり、各々に対応する部位を有している。すなわち、コア押え部２Ａに対してはコア押え部２Ｂが、誘導部４Ａに対しては誘導部４Ｂが、規制部６Ａに対しては規制部６Ｂが、各々対応している。以下の説明では、小径コアＳＣを例にとり、サポートリング２１ａのうちサポートリング部Ａが作用する場合について説明する。
【００３７】
チャック部３に担持されて絶縁紙Ｐの挿入工程に搬送されたコアＳＣは、チャック部３による担持を維持した状態で工程内に設置される。絶縁紙Ｐの挿入に先立ち、コアＳＣが挿入サポートシリンダ１９で下降され、サポートリング部Ａの最下面に構成されているコア押え部２Ａが所定の押圧力にてコアＳＣの上端面を押圧するように調整される。この押圧力は、絶縁紙Ｐの挿入時に絶縁紙Ｐとスロット内壁との干渉により、コアＳＣの上端面側の薄板コア部材が絶縁紙Ｐにより押し上げられない程度の押圧力であればよい。薄板コア部材の層厚、材質や、絶縁紙Ｐの厚み、材質、更に絶縁紙Ｐとスロット内壁との干渉の程度などによって適宜に調整することが好ましい。この調整は、挿入サポートシリンダ１９の下降量に応じて調整される押圧力により調整することができることは言うまでもない。
【００３８】
コア押え部２ＡによるコアＳＣの上端面での押圧位置は、コアＳＣの内径側端部である。コアＳＣでは内径側は溶接等による固定が施されておらず、絶縁紙Ｐによる薄板コア部材の押し上げが最も大きな部分を有効に押圧することができる。
【００３９】
ハイブリッド自動車や電気自動車等に使用される駆動用の電動機では、電動機の駆動効率の向上のため鉄損の低減を図る必要から、従来にも増してコアＳＣを構成するために積層される薄板コア部材の厚みを低減することが要請されている。例えば、０．３ｍｍ厚の薄板コア部材を積層することが行なわれる場合がある。本実施形態により例示される本発明によれば、こうした極薄のコア部材を使用する場合にも絶縁紙Ｐの挿入によるコア部材の持ち上がりを有効に防止することができる。
【００４０】
コア押え部２ＡからコアＳＣの外径側に連続する側面が、外径方向に傾斜して立ち上がって誘導部が構成される。コアＳＣの下端面から挿入される絶縁紙Ｐは、Ｕ字状に湾曲されて挿入される。その開口部分をスロットＳＬの開口部分に合わせて、コアＳＣの下端面から挿入されることが一般的である。スロット内壁面を絶縁紙Ｐで確実に覆うことができるからである。スロットＳＬに挿入される絶縁紙Ｐの復元力により、絶縁紙ＰがスロットＳＬの開口部分で押圧されて干渉が他の部分に比して大きくなり、抵抗を受けて絶縁紙Ｐの挿入進度が遅くなる傾向にある。そのため、絶縁紙Ｐはスロット開口側に傾いた状態で挿入されることが一般的である。この傾きを矯正するために、スロットＳＬの開口端部であるコアＳＣの内径側端部に押圧されるコア押え部２Ａに連続して、外径側に傾斜した斜面を有する誘導部４Ａが備えられている。絶縁紙Ｐが誘導部４Ａに当接して挿入されていくことにより、絶縁紙Ｐの傾斜状態を矯正することができる。
【００４１】
誘導部４Ａの外径側には、コア押え部２Ａの当接面から距離Ｌの高さにＯリング等の弾性体で形成される規制部６Ａが構成される。ここで、Ｏリングとは、所定の弾性力を有したゴム部材で形成されていることが好ましい。スロットＳＬに挿入される絶縁紙ＰのコアＳＣの上面端での飛び出し量が規制される。絶縁紙Ｐは、上端が規制部であるＯリング６Ａの下端に接した時点で規制されるのが原則であるが、挿入時の押圧力が印加されている場合、Ｏリング６Ａの有する弾性力で更に上昇することは可能である。絶縁紙Ｐの厚みやカフス部の折り曲げ位置等の製造ばらつきを吸収することができ、コア端部からの絶縁紙Ｐの飛び出し量の公差が大きくとれない場合にも、飛び出し量を長さＬに安定させることができ、絶縁紙端部のカフス部をコア端部に確実に係合させることができる。
【００４２】
ハイブリッド自動車や電気自動車等に使用される駆動用モータでは、実装上、コンパクトに構成される電動機が必要とされており、そのため、個々の構成部材の公差も厳しく制限されていることが実情である。このような場合にも、本実施形態により例示される本発明によれば、コアＳＣの端部からの絶縁紙Ｐの飛び出し量の公差が小さい場合にも、確実に絶縁紙Ｐを飛び出させることができ、絶縁紙端部のカフス部をコアＳＣの端部に確実に係合させることができる。
【００４３】
ステータコア搬送装置１に、チャック部３とは独立に上下動が可能なコア押え部２Ａ、２Ｂ、誘導部４Ａ、４Ｂ、および規制部６Ａ、６Ｂを備えることにより、コアＳＣの搬送中に、コア押え部２Ａ、２Ｂ、誘導部４Ａ、４Ｂ、および規制部６Ａ、６Ｂで挿入された絶縁紙Ｐを支持しておけば、搬送中に、挿入された絶縁紙Ｐの挿入位置がずれてしまうことはない。
【００４４】
尚、本発明は前記実施形態に限定されるものではなく、本発明の趣旨を逸脱しない範囲内で種々の改良、変形が可能であることは言うまでもない。
例えば、本実施形態においては、内径側にロータが配置される構成に関し、スロットＳＬが内径側に開口されている環状ステータスコアＳＣを例にとり説明したが、本発明はこれに限定されるものではなく、外径側にロータが配置されて、スロットが外形側に開口されている構成のステータコアに対しても同様に適用することができる。
また、本実施形態においては、サポートリング２１ａとして、サポートリング部Ａとサポートリング部Ｂとの径の異なる２種類のコアに対応できる場合を例にとり説明したが、本発明はこれに限定されるものではなく、３種類以上のコア径に対応できる構成や、１種類のコア径にのみ対応する構成など、適宜に選択することができることは言うまでもない。
また、本実施形態では、チャック部３を有するステータコア搬送装置１に、絶縁紙挿入矯正装置である挿入サポートシリンダ１９および挿入サポート部２１が備えられる場合を例にとり説明したが、本発明はこれに限定されるものではない。チャック部とは切り離し、挿入サポートシリンダおよび挿入サポート部といった絶縁紙挿入矯正装置に関する構成要素のみで構成することが可能であることは言うまでもない。
また、コア押え部、誘導部、および規制部といった絶縁紙挿入矯正装置は、リング状の構成に限定されるものではない。薄板コア部材に剛性があり、絶縁紙の挿入時以外にはコア部材が持ち上がることはない場合、また挿入された絶縁紙が移動しにくい場合等には、絶縁紙の挿入位置に限定して、コア押え部、誘導部、および規制部を備える構成とすることもできる。
また、規制部６Ａ、６Ｂは、ゴム部材で形成されたＯリングに限定されるものではなく、弾性力を有していれば、バネ状の部材を利用することも可能である。
【図面の簡単な説明】
【００４５】
【図１】環状ステータコアのスロットに絶縁紙を挿入する際の概念図である。
【図２】絶縁紙挿入矯正装置の機能を備えたステータコア搬送装置についての正面図である。
【図３】絶縁紙挿入矯正装置の機能を備えたステータコア搬送装置についての右側面図である。
【図４】図３におけるＡＡ断面図である。
【図５】絶縁紙のサポートリングが支持円筒の先端に固定された状態を示す拡大図である。
【符号の説明】
【００４６】
１            ステータコア搬送装置
２Ａ、２Ｂ    コア押え部
３            チャック部
４Ａ、４Ｂ    誘導部
５            搬送ガイド
６Ａ、６Ｂ    規制部
７            支持板
９            シリンダフランジ
１１          シリンダシャフト
１３          シリンダ部
１５          ベース板
１７          ＬＭガイド
１９          挿入サポートシリンダ
２１          挿入サポート部
２１ａ        サポートリング
２１ｂ        支持円筒
２２          円筒本体部
２３          リングガイド
２５          ボルト
２７          リング状摺動部材
２９          円筒連結基部
３１          収納部
Ａ、Ｂ        サポートリング部
ＳＣ          環状ステータコア
ＳＬ          スロット
Ｐ            絶縁紙
Ｔ            ティース部
【図１】
2005073413.tif 000003
【図２】
2005073413.tif 000004
【図３】
2005073413.tif 000005
【図４】
2005073413.tif 000006
【図５】
2005073413.tif 000007